(57)【要約】【課題】  カーテンウォールの給排気口にその室内側からの作業のみによってダクト連結のチャンバーボックスを設置固定できるようにする。【解決手段】  カーテンウォールＡの囲繞区画空間２３を画する区画枠部２５に外側の，チャンバーボックス４に内側の装着溝７１をそれぞれ配置し，これら装着溝７１に気密材７を設置して，チャンバーボックス４を室内側から囲繞区画空間２３に挿入することによってチャンバーボックス４の外周を室内外２箇所の気密材７で２重封止するとともに区画枠部２５とチャンバーボックス４の交差固定部４４とを室内側操作によるボルトナット５締着固定乃至ネジ６止め固定する。屋外の作業がなくなり室内の乾式工法による設置が可能となる。室内外２重封止の気密材７間には等圧空間２７を配置して室内への雨水浸入を防止する。【選択図】        図３
2006045936.tif 000002
【特許請求の範囲】
【請求項１】
カーテンウォールの囲繞区画空間に給排気ダクト室外側のチャンバーボックスを設置した給排気口構造であって，上記囲繞区画空間に室内側から嵌め込み状に挿入したチャンバーボックスの挿入胴部室内側配置の交差固定部をボルトナット締着，ネジ止め等の固定金具によって室内側から囲繞区画空間の区画枠部に固定するとともに該チャンバーボックス挿入胴部外周の室内外方向２箇所において区画枠部との間に介設した気密材によって室内外に２重封止し且つ該室内外に２重封止した気密材間に等圧空間を配置してなることを特徴とするカーテンウォールの乾式等圧給排気口構造。
【請求項２】
上記囲繞区画空間の全部又は一部の区画枠部に内向き開口のＣ字溝を配置し該Ｃ字溝にボルト頭を装着しその室内側に突出したボルト軸にチャンバーボックスの上記交差固定部を挿通し該ボルト軸に室内側からナットを締着することによってチャンバーボックスの固定をボルトナット締着により行ってなることを特徴とする請求項１に記載のカーテンウォールの乾式等圧給排気口構造。
【請求項３】
上記囲繞区画空間の上記全部又は一部の区画枠部における上記ボルトナット締着による固定とともに又はこれに代えて，該区画枠部にネジ受面を配置し該ネジ受面にチャンバーボックスの上記交差固定部をネジ止め固定してなることを特徴とする請求項２に記載のカーテンウォールの乾式等圧給排気口構造。
【請求項４】
上記チャンバーボックスの挿入胴部外周と囲繞区画空間の区画枠部との室内外に２重の封止を，区画枠部と挿入胴部の対向面の２箇所又は対向面及び室内面の２箇所において行なってなることを特徴とする請求項１，２又は３に記載のカーテンウォールの乾式等圧給排気口構造。
【発明の詳細な説明】
【技術分野】
【０００１】
本発明はカーテンウォールに関し，特にこれに給排気口を形成するカーテンウォールの乾式等圧給排気口構造に関する。
【背景技術】
【０００２】
中高層ビルの空調に際して，カーテンウォールに給排気口を形成して換気を行なうようにすることが行なわれ，このとき該給排気口の構造は，例えばチャンバーボックスの先端フランジにボルト止め，ネジ止め，クリップ止め等の固定を行うことによって囲繞区画空間より幾分小さめにして，長手方向中間位置に交差突片を備えたアルミ押出形材製の形材挿入部を形成し，該交差突片を囲繞区画空間の区画枠部，例えば上無目，中間無目，左右縦枠（又は方立）の室内面に対して突き当て状とするように上記形材挿入部をカーテンウォールの囲繞区画空間に室内側から挿入し，その交差突片をこれら上下左右の枠にネジ等によって固定する一方，該アルミ押出形材製の形材挿入部の外周と囲繞区画空間の内周間の空隙溝にシール剤を充填する等の湿式封止措置を施して該囲繞区画空間にチャンバーボックスを設置するようにしたものとされる。
【発明の開示】
【発明が解決しようとする課題】
【０００３】
この場合，チャンバーボックスに取付固定した形材挿入部を，その交差突片を区画枠部の室内面に突き当て状にして囲繞区画空間に挿入するものとされるから，その交差突片によって室内外が遮断され，形材挿入部と区画枠部間に形成されてシールを充填するべき空隙溝が室外側に向けて開口することによって，上記形材挿入部外周と区画枠部間における湿式封止措置のための作業は，これを室外側から行なう必要が生じ，例えば吊りゴンドラを用いて室外側，特にカーテンウォール壁面側から行なわざるを得ないことになる。またチャンバーボックスの先端フランジへの形材挿入部の設置作業，その交差突片の区画枠部に対する固定作業等の現場作業があり，またシール剤を用いた湿式封止措置を施すためにそのシール剤の養生期間も必要となり，給排気口形成作業が煩雑化してその作業性が悪いという問題点がある。
【０００４】
本発明はかかる事情に鑑みてなされたもので，その解決課題とするところは，可及的簡易な構造で囲繞区画空間に対するチャンバーボックスの確実な設置を可能とするとともに該チャンバーボックスの設置によって自ずと封止措置がなされて気密性と水密性を確保し得て，給排気口形成の作業性を良好に確保し得るようにしたカーテンウォールの乾式等圧給排気口構造を提供するにある。
【課題を解決するための手段】
【０００５】
上記課題に添って本発明は，室内側からチャンバーボックスの胴部を直接に囲繞区画空間に嵌め込み状に挿入して行うとともにこれらチャンバーボックスの挿入胴部と囲繞区画空間の区画枠部間を室内外２箇所の気密材によって室内外２重に封止する一方，その区画枠部に対する固定を挿入胴部の室内側に配置した交差固定部をボルトナット，ネジ等の固定金具によって室内側から固定し且つ上記室内外２重の封止によって封止性，即ち気密性と水密性を確保し得るようにするとともに気密材間に等圧空間を配置して該気密材使用による雨水浸入可能性を解消するようにし，乾式の室内側作業のみによって作業効率良好に給排気口の形成をなし得るようにしたものであって，即ち請求項１に記載の発明を，カーテンウォールの囲繞区画空間に給排気ダクト室外側のチャンバーボックスを設置した給排気口構造であって，上記囲繞区画空間に室内側から嵌め込み状に挿入したチャンバーボックスの挿入胴部室内側配置の交差固定部をボルトナット締着，ネジ止め等の固定金具によって室内側から囲繞区画空間の区画枠部に固定するとともに該チャンバーボックス挿入胴部外周の室内外方向２箇所において区画枠部との間に介設した気密材によって室内外に２重封止し且つ該室内外に２重封止した気密材間に等圧空間を配置してなることを特徴とするカーテンウォールの乾式等圧給排気口構造としたものである。
【０００６】
請求項２及び３に記載の発明は，上記に加えて，それぞれチャンバーボックスの固定を室内側からのボルトナット締着によって簡易且つ確実になし得る好ましい形態のものとするように，請求項２に記載の発明を，上記囲繞区画空間の全部又は一部の区画枠部に内向き開口のＣ字溝を配置し該Ｃ字溝にボルト頭を装着しその室内側に突出したボルト軸にチャンバーボックスの上記交差固定部を挿通し該ボルト軸に室内側からナットを締着することによってチャンバーボックスの固定をボルトナット締着により行ってなることを特徴とする請求項１に記載のカーテンウォールの乾式等圧給排気口構造とし，また請求項３に記載の発明を，上記囲繞区画空間の上記全部又は一部の区画枠部における上記ボルトナット締着による固定とともに又はこれに代えて，該区画枠部にネジ受面を配置し該ネジ受面にチャンバーボックスの上記交差固定部をネジ止め固定してなることを特徴とする請求項２に記載のカーテンウォールの乾式等圧給排気口構造としたものである。
【０００７】
請求項４に記載の発明は，同じく上記に加えて，室内外２重封止を容易に高度な封止性を確保し得る好ましい形態のものとするように，これを，上記チャンバーボックスの挿入胴部外周と囲繞区画空間の区画枠部との室内外に２重の封止を，区画枠部と挿入胴部の対向面の２箇所又は対向面及び室内面の２箇所において行なってなることを特徴とする請求項１，２又は３に記載のカーテンウォールの乾式等圧給排気口構造としたものである。
【０００８】
本発明はこれらをそれぞれ発明の要旨として上記課題解決の手段としたものである。
【発明の効果】
【０００９】
本発明は以上のとおりに構成したから，請求項１に記載の発明は，可及的簡易な構造で囲繞区画空間に対するチャンバーボックスの確実な設置を可能とするとともに該チャンバーボックスの設置によって自ずと封止措置がなされて気密性と水密性を確保し得て，給排気口形成の作業性を良好に確保し得るようにしたカーテンウォールの乾式等圧給排気口構造を提供することができる。
【００１０】
請求項２及び３に記載の発明は，上記に加えて，それぞれチャンバーボックスの固定を室内側からのボルトナット締着によって簡易且つ確実になし得る好ましい形態のものとすることができる。
【００１１】
請求項４に記載の発明は，同じく上記に加えて，室内外２重封止を容易に高度な封止性を確保し得る好ましい形態のものとすることができる。
【発明を実施するための最良の形態】
【００１２】
以下図面の例に従って本発明を更に具体的に説明すれば，図１乃至図４において，Ａはカーテンウォール，２はその給排気口であり，該給排気口２は，カーテンウォールＡの囲繞区画空間２３に給排気ダクト３室外側のチャンバーボックス４を設置した構造としてあり，このとき上記囲繞区画空間２３に室内側から嵌め込み状に挿入したチャンバーボックス４の挿入胴部４１室内側配置の交差固定部４４をボルトナット５締着，ネジ６止め等の固定金具によって室内側から囲繞区画空間２３の区画枠部２５に固定するとともに該チャンバーボックス４挿入胴部４１外周の室内外方向２箇所において区画枠部２５との間に介設した気密材７によって室内外に２重封止し且つ該室内外に２重封止した気密材７間に等圧空間２７を配置したものとしてある。
【００１３】
カーテンウォールＡは，例えばＰＣパネル等の外装パネル１３と該外装パネル１３間の，一部を開閉自在のサッシ戸とした嵌め殺しのガラスパネルとによって構成し，該ガラスパネル上方の横長の囲繞区画空間２３に上記チャンバーボックス４を設置した給排気口２を備えて，中高層ビル１の上下階スラブ１１間の外壁をなすようにしてあり，このとき囲繞区画空間２３は区画枠部２５によって区画したものとしてあり，本例にあって該区画枠部２５は，上無目，サッシ枠をなす中間無目及びサッシ枠をなす左右縦枠（又は方立）を上下左右枠として囲繞区画空間２３を囲繞するように区画したものとしてある。
【００１４】
またチャンバーボックス４は，空調用のダクト３と囲繞区画空間２３とを結ぶように，例えば中間で屈曲した断面矩形のステンレス等鋼製の筒体として形成され，その室外側をなす囲繞区画空間２３側先端を切断端部とするように，フランジ等を備えない矩形の挿入筒部４１とする一方，室内側をなすダクト３側には外方に張出し突出したフランジ４３を形成具備し，該フランジ４３をダクト３のフランジ３１と対接してボルトナット５で締着固定することによってその室内側をダクト３に連結してあり，これによってダクト３に対してカーテンウォールＡの給排気口２からの外気を流通し，中高層ビル１内の空調に際して給排気による換気をなし得るようにしてある。
【００１５】
このときチャンバーボックス４は，挿入胴部４１室内側に交差固定部４４を備えてあり，該交差固定部４４は，上記囲繞区画空間２３の全部又は一部，本例にあっては下位の区画枠部２５，即ち中間無目に内向き開口のＣ字溝２９を配置し該Ｃ字溝２９にボルト頭を装着しその室内側に突出したボルト軸にこれを挿通し該ボルト軸に室内側からナットを締着することによってチャンバーボックス４の固定をボルトナット５締着により行ったものとしてあり，またこのとき同じく全部又は一部，本例にあっては左右側位の区画枠部２５にネジ受面を配置し該ネジ受面にその交差固定部４４をネジ６止め固定したものとしてある。
【００１６】
即ち本例の交差固定部４４は，挿入胴部４１室内側外周の，例えば下面及び左右側面に固定設置して配置した鋼製別体の折曲金具によるものとしてあり，その下面の交差固定部４４を下位の区画枠部２５に対してボルトナット５締着固定し，左右側面の交差固定部４４を左右側位の区画枠部２５にネジ６止め固定したものとしてあり，このとき区画枠部２５をアルミ押出形材によって一体に押出成形することによって，上記Ｃ字溝２９を長手方向，即ち横方向に備え，該Ｃ字溝２９に装着した上記ボルト頭をスライドして位置合せして，チャンバーボックス４の挿入状態でその下面の交差固定部４４の透孔にＣ字溝２９から突出したボルト軸を受入れて室内側からナットを締着してチャンバーボックス４下位のボルトナット５による固定を行なう一方，同様にアルミ押出形材によって一体に成形することによって区画枠部２５，即ち縦枠乃至方立の長手方向，即ち縦方向に備えたフィン状のネジ受面に左右の交差固定部４４を対接して同じく室内側からネジ６を螺入してネジ止めしてその側位のネジ６による固定を行なったものとしてある。
【００１７】
本例にあってチャンバーボックス４の上面は交差固定部４４を設置することなく，後述の気密材７によって圧接するに止めることによって，上位の区画枠部２５，即ち上無目との間で非固定の状態とし，該チャンバーボックス４は，これをその下面及び側面を上記囲繞区画空間２３を画する区画枠部２５の上位及び側位においてボルトナット５及びネジ６による固定金具を用いて固定するようにしてあり，これによって可及的簡易な室内側の作業によってその固定支持を可及的に安定且つ確実になし得るようにしてある。
【００１８】
本例のチャンバーボックス４の区画枠部２５に対する室内外の２重封止は，上記区画枠部２５と挿入胴部４１の対向面の２箇所又は対向面及び室内面の２箇所，特に後者の対向面及び室内面において行なったものとし，その間に上記等圧空間２７を配置することによって雨水浸入の可能性を解消したものとしてある。
【００１９】
即ち本例の区画枠部２５は，その上位及び左右側位において幅方向及び室内側をＬ字状とするＬ字屈曲面を形成し，下位において幅方向に複数突条２６を突設形成し，チャンバーボックス４挿入胴部４４外周の上面及び側面と該Ｌ字屈曲面の幅方向室外側及び室内側の室内外方向２箇所に，またチャンバーボックス４挿入胴部４１外周の下面と複数突条２６の室内外方向２箇所にそれぞれ気密材７を介設してその上記２重封止を行ってある。
【００２０】
このとき区画枠部２５は，その室外側同一位置に一体に押出成形したＣ字状にして囲繞区画空間２３側に向けて開口した気密材装着溝７１を備え，該装着溝７１に基部を嵌合固定することによって該区画枠部２５の対向面側に気密材７を装着し，またチャンバーボックス４は，その挿入胴部４１に固定設置した交差固定部４４の，本例にあってはその折曲金具の挿入胴部４１側付根部分の同一位置にコ字状にして室外側に向けて開口した気密材装着溝７１を備え，該装着溝７１に同様に基部を嵌合固定することによって該チャンバーボックス４の室外側に向けて気密材７を装着し，室外側において区画枠部２５の気密材７とチャンバーボックス４の挿入胴部４１間に，また上位及び左右側位の室内側において該挿入胴部４１側付根部分と区画枠部２５の気密材７との対接部をなす上記Ｌ字屈曲面の室内側面及び下位の複数突条２６のうち同じく気密材７との対接部をなす室内側突条における室内側面との間に気密材７を介設し，囲繞区画空間２３とチャンバーボックス４挿入胴部４１との上下位及び左右側位の室内外方向に２重封止による封止措置を施して高度な気密性と水密性を確保するようにしてあり，該封止性の確保は，区画枠部２５及び交差固定部４４の各装着溝７１に気密材７をそれぞれ予め装着し，該装着状態でチャンバーボックス４の挿入胴部４１を室内側から囲繞区画空間２３に対して挿入することによって自ずとなし得るようにしてある。なおこのときチャンバーボックス４下面における装着溝７１に装着した気密材７は，これを下位の区画枠部２５の上記室内側における突条のＣ字溝２９上方に対接してその封止を行なうようにしてあり，チャンバーボックス４の上面及び左右側面の気密材７はそれぞれ上位及び左右側位の室内面に対してその対接を行なって室内側の上記同一位置の封止を行なうようにしてある。
【００２１】
等圧空間２７は，本例にあって上記複数突条２６を突出形成した下位の区画枠部２５の複数突条２６間を連続する底部に所定間隔の水抜き孔２８を透設することによって，該下位の区画枠部２５に配置したものとしてあり，このとき該下位の区画枠部２５とチャンバーボックス４との間は室内外２箇所の気密材７を介して封止され，長手方向，即ち横方向はチャンバーボックス４の挿入胴部４１を囲むように空間が連続しており，従って例えば囲繞区画空間２３から下位の区画枠部２５における等圧空間２７に雨水が浸入しても，これが外気と等圧であることによって雨水は水抜き孔２８から外部に流下し，等圧空間２７に雨水が滞留することがなく，雨水が室内側の気密材７を超えて室内に浸入する可能性が解消され，気密材７を用いて行った室内外方向に２重封止の封止性を高度に維持して好ましい気密性と水密性を確保することができる。
【００２２】
図中１４は外装パネル１３に上位の区画枠部２５を支持するように設置したファスナー，２４は外装パネル１３と区画枠部２５の空隙閉鎖用の気密材，４２はチャンバーボックス４を被覆するようにその外周側に設置した結露防止用の断熱材，２１は，区画枠部２５に対して嵌合し乃至ネジ止めすることによって囲繞区画空間２３を通気可能に閉鎖して塵埃等の侵入を防止するように該囲繞区画空間２３のチャンバーボックス４室外側に配置したグリル，エキスパンドメタル等による囲繞区画空間２３のカバー，２２は上位の区画枠部２５に一側端部を引掛係止し且つ固定して囲繞区画空間２３を覆って，雨水の吹き込みを防止するように給排気口２の正面側に突出するように配置したアルミ押出形材製の霧除け，８はチャンバーボックス４の室内側作業による設置後に天井の窓近傍を塞ぐように配置した同じくアルミ押出形材製のブラインドボックス，４７は該ブラインドボックス８における一部の形材部材とチャンバーボックス４のダクト３側端部から垂下した吊りボルト４６を支持するブラケットをそれぞれ示す。
【００２３】
図５及び図６は他の例に係るカーテンウォールＡの乾式等圧給排気口２の構造を示すもので，本例も上記例のものとその基本構成を同じとするところ，チャンバーボックス４の挿入胴部４１室内側に備えた交差固定部４４は，これをその上面及び下面に同様の折曲金具を固定設置したものとし，囲繞区画空間２３のうち上下位の区画枠部２５に配置した各内向き開口のＣ字溝２９に装着したボルトを該交差固定部４４に挿通して同様に室内側からナットを締着することによってボルトナット５の締着固定を行なってあり，このとき上下位のＣ字溝２９位置を室内外方向にずらして設置したことによってそのナット締着位置を同じ室内側でずらしてこれに合せたものとしてある。また本例にあってチャンバーボックス４の左右側面には同様に別体の折曲金具による交差対接部４５を設置し，該交差対接部４５に対して気密材７を圧接することによって左右側位の区画枠部２５，即ち方立との間で非固定の状態とし，該チャンバーボックス４を，その上下面を囲繞区画空間２３の区画枠部２５の上下位においてボルトナット５による固定金具を用いて固定して，同様に可及的簡易な室内側の作業によってその固定支持を可及的に安定且つ確実になし得るようにしてある。
【００２４】
本例の室内外方向に２重の封止における室外側の気密材７の設置及びこれによる室外側の封止は上記例におけると同様としたが，室内側にあってその気密材７設置は，これを，上下位及び左右側位の区画枠部２５に室内外同一位置とするようにそれぞれ気密材装着溝７１を設置し，同様に該装着溝７１に基部を嵌合固定することによって気密材７をチャンバーボックス４の下面において交差固定部４４に，上位及び左右側位において交差対接部４５に対接して，これらの間の気密材７介設とその室内側における封止を行なったものとしてある。
【００２５】
即ち本例の上記気密材装着溝７１は，下位の区画枠部２５において上記内向き開口のＣ字溝２９の上方にこれと平行に並列配置し，上位の区画枠部２５においてその内向き開口のＣ字溝２９の下方に，これより室外側にずらした下位の区画枠部２５と同一位置に同じく該Ｃ字溝２９と平行の段差状に配置し，左右側位の区画枠部２５においては，該区画枠部２５に，例えばネジ止めすることによって一体的に設置したアルミ押出形材製別体の付属部材に上記と同様な複数突条２６を配置するとともにその室内側の突条に室内側に向けてそれぞれ上記と同一位置をなすようにこれを設置したものとしてある。
【００２６】
従って囲繞区画開口２３に基部を嵌合固定して装着した気密材７はその室内側に向けてあるから，これをチャンバーボックス４の上記交差固定部４４又は交差対接部４５に対接し，上記室外側の気密材７介設とともに室内側における気密材７介設を行なうことによってその２重封止を行ってあり，このときチャンバーボックス４の上面にあって交差固定部４４と気密材装着溝７１の設置位置がずれることによって，本例にあっては室内側に交差固定部４４を，室外側に交差対接部４５を配置するように，これらをＵ字状に一体に折曲形成した別体の折曲金具を用い，これをチャンバーボックス４に設置することによって単一の金具を共用してボルトナット７締着固定と室内側の封止をなし得るようにしてある。
【００２７】
図中４８はチャンバーボックス４内に設置した水返し，１２は側位の区画枠部２５，即ち方立の室外側に突出するように設置したカーテンウォールＡの縦フィンをそれぞれ示す。その余は上記例と基本的に変らないから同一符合を付してその重複する説明を省略する。
【００２８】
このように構成したカーテンウォールＡにおける各給排気口２の構造は，可及的簡易な構造で囲繞区画空間２３に対するチャンバーボックス４の確実な設置を可能とし，該チャンバーボックス４の設置によって自ずと封止措置がなされるとともに室内外２重封止によって容易に高度な封止性による気密性と水密性を確保することができ，その作業に際しての作業効率のよい乾式等圧のものとすることができる。
【００２９】
図示した例は以上のとおりとしたが，チャンバーボックスの挿入胴部に室外側の気密材を設置してこれを囲繞区画空間の区画枠部に対接することによって室外側の封止を行なうようにすること，チャンバーボックスの全部の区画枠部に対して同様に室内側作業によるボルトナット締着乃至ネジ止めによって固定すること等を含めて，本発明の実施に当って，カーテンウォール，給排気口，囲繞区画空間，区画枠部，チャンバーボックス，これらの間の気密材，必要に応じて用いる内向き開口のＣ字溝，交差固定部乃至交差対接部等の各具体的形状，構造，材質，これらの関係，これらに対する付加等は，上記発明の要旨に反しない限り様々な形態のものとすることができる。
【図面の簡単な説明】
【００３０】
【図１】カーテンウォールの部分正面図である。
【図２】カーテンウォールの縦断面図である。
【図３】給排気口部分の縦断面図である。
【図４】給排気口部分の横断面図である。
【図５】他の例を示す給排気口部分の縦断面図である。
【図６】図５の例における給排気口部分の横断面図である。
【符号の説明】
【００３１】
Ａ  カーテンウォール
２  給排気口
２３  囲繞区画空間
２５  区画枠部
２７  等圧空間
２９  Ｃ字溝
４  チャンバーボックス
４１  挿入胴部
４４  交差固定部
４５  交差対接部
５  ボルトナット
６  ネジ
７  気密材
【図１】
2006045936.tif 000003
【図２】
2006045936.tif 000004
【図３】
2006045936.tif 000005
【図４】
2006045936.tif 000006
【図５】
2006045936.tif 000007
【図６】
2006045936.tif 000008